(57)【要約】      （修正有）【課題】使用した後に巻き取って収納器具に収めることで携帯しやすくした手提げ袋を提供する。【解決手段】手提げ袋は、袋に物品を入れず底面を下に取手部分を上に置いた状態で、袋を左右に三分割した中部分２の底辺部分４に治具５を取り付け、残る右部分３と左部分１を中部分２に重ねて折り畳み、治具５を構成する軸受け部品の外周面の溝を、中空で筒状の収納器具の内側に形成された凸部分を合致させ、収納器具を転動させて巻きとり挿入する。収納すると筆記用具様の棒状となりポケットに収納し携帯できるため、購買時に店頭でビニール袋を購入することなく購入物の運搬が可能となるとともに地球環境保全に役立つ。【選択図】図２
0003231330.tif 000002
【実用新案登録請求の範囲】
【請求項１】
袋に物品を入れず平面に寝かせ置き底辺部を手前に開口部および取手部を奥に置いた状態で、袋を左右に三分割した中部分２の底辺の取付部分４に巻き取る軸となる治具５を取り付け、残る右部分３と左部分１を中部分２に重ねて折り畳んで治具５に巻きとり、中空で筒状の収納器具１３に挿入収納することを特徴とした手提げ袋（図８）。
【請求項２】
袋に物品を入れず平面に寝かせ置き底辺部を手前に開口部および取手部を奥に置いた状態で、袋を左右に三分割する。その袋の左部分１の幅１ａは中部分２の幅２ａより５ｍｍから２０ｍｍの範囲で短く形成され、同様に右部分３の幅３ａは中部分２の幅より２ｍｍから１０ｍｍの範囲で短く形成されている。また中部分２の底辺に治具５を通すための筒状の取付部分４が形成されており（図３）、治具５を取り付ける。治具５を構成する持ち手部分６から発出する軸７の二本に分割された任意の一本を通貫させ、軸受け部品１１もしくは１１ａを取り付け止める構成となっている請求項１の手提げ袋（図１、図２）。
【請求項３】
袋を巻き取る軸７を有する治具５は、持ち手部分６は円柱形に形成され、持ち手部分６より直径が細い軸７と接合面で一体に形成されており、また円柱形に形成された独立した軸受け部品１１で構成される（図４）。軸７は持ち手部分６の接合面から発出して同方向に二本に分割されており、二本を合わせた状態の先端の外周面に形成された螺旋構造８で軸受け部品１１の内側に螺子絞め固定する構造となっている（図５）。軸７の二本の間には、軸受け部品１１に固定した状態で持ち手部分６の接合面より軸受け部品１１の螺子込み固定部分に至るまでの全長にわたり２ｍｍ以下幅の間隙７ｂが形成される。また軸受け部品１１の外周面には１箇所以上に幅２ｍｍ以下で溝１２が形成されている（図４、図５）。
【請求項４】
袋を巻き取る軸７を有する治具５は、持ち手部分６は円柱形に形成され、持ち手部分６より直径が細い軸７と接合面で一体に形成されており、また円柱形に形成された独立した軸受け部品１１ａとで構成される（図４）。軸７ａは持ち手部分６の接合面から発出して同方向に二本に分割されており、二本を合わせた状態の先端９の外周面に２ｍｍ幅以下の立方体である凸構造９ａが形成されており、軸受け部品１１ａに形成された２ｍｍ幅以上の溝１０に挿入し転動させることで固定する構造となっている（図６）。軸７ａは軸受け部品１１ａに固定した状態で、持ち手部分６の接合面より軸受け部品１１ａの挿入転動した固定部分に至るまでの全長にわたり２ｍｍ以下幅の間隙７ｂが形成される。また軸受け部品１１ａ外周面には１箇所以上に幅２ｍｍ以下で溝１２が形成されている（図４、図６）。
【請求項５】
請求項３、請求項４の軸受け部品１１もしくは１１ａが、図７に示した中空の筒状に形成された収納器具１３に挿入される際に、軸受け部品１１もしくは１１ａの外周面に形成された溝１２が収納器具１３の内側に形成された凸部分１４と合致する（図７、図８）。軸受け部品１１もしくは１１ａを挿入した状態で収納器具１３を転動させることで、請求項１、請求項２に著した手提げ袋を治具５に巻き取り、巻き取った後に全体を収納器具１３に挿入して収納することができる（図９）。
【考案の詳細な説明】
【技術分野】
【０００１】  本考案は、小売店での購買時に持ち帰り用途のみに必要となるビニール袋を店頭で購入することなく、携帯し持参できる手提げ袋に関する。
【背景技術】
【０００２】  この種の持ち帰り用手提げ袋としては、物品をすべて取り出し折り畳んで付属する小袋に収納する手提げ袋が公知であり、構造も比較的単純であるため広くあまねく普及している。【０００３】  手提げ袋を収納する際に手提げ袋本体の外部に一体形成されているポケットを利用し、手提げ袋を折り畳んで裏返しそのポケット状袋に収納する形態もみられる。
【先行技術文献】
【特許文献】
【０００４】  この種の手提げ袋は収納するために畳む必要があるが、これを煩わしく感じるという課題があり、その改善のため一回の行為でたためる畳み方を特徴とする先行技術が存在する。
【特許文献１】特願２０１７−５２９４１６
【考案の概要】
【考案が解決しようとする課題】
【０００５】  地球環境保護の観点から小売店で無償提供されてきたビニール製手提げ袋が令和２年７月１日より有料化された。このビニール袋を購買時に店頭で新たに購入しない場合は、予め購買に出発する際に持参する必要がある。しかし必ずしも持参しているとは限らない。【０００６】  上述の先行技術は畳む煩わしさを解決したが、広くあまねく普及している従来の手提げ袋は、畳んで収納した形状が拳大の大きさとなるため携帯にそぐわない場合や少量の購買時に持参しそびれる場合があった。そのためには畳んで収納した形状を、携帯しやすいよう改善する課題がある。
【課題を解決するための手段】
【０００７】  本考案は、手提げ袋を畳むだけで収納するのではなく、容易に密度高く巻き取るために治具５（図４）を設けた。その治具５は袋の中部分２の底辺部に形成した筒状の取付部分４に、軸７の二本に分割されたうちの任意の一本を通貫させ軸７の先端部分８を軸受け部品１１に取り付けた状態で手提げ袋として使用する。【０００８】  使用後、袋の左部分１と右部分３を中部分２に重ねるように折り畳んでから軸受け部品１１外周面の溝１２を収納器具１３の内側に形成されている凸部分１４に合致させ、手で収納器具１３を転動させることで袋を軸７に巻き取ることができ（図８）、そのまま軸受け部品１１を収納器具１３に挿入し収納する（図９）。これにより携帯することが容易になり本考案は課題を解決している。
【考案の効果】
【０００９】  上述のように、本考案は収納器具１３に収納することで筆記用具様の棒状となりポケットに収納し携帯できるため、購買時に持ち帰る用途のみに必要となるビニール袋を店頭で購入することなく、購入物の運搬が可能となるとともに地球環境保全の意識を高める。
【図面の簡単な説明】
【００１０】
【図１】本考案の収納式手提げ袋の実施例を示す正面図である。
【図２】本考案の収納式手提げ袋の実施例を示す斜面図である。
【図３】本手提げ袋の中部分２の底面に形成された筒状の取付部分４の斜面図である。
【図４】取付部分４に取り付ける治具５の斜面図である。
【図５】治具５の軸受け部品１１の斜面図・透視図である。
【図６】治具５の軸受け部品１１ａの斜面図・透視図である。
【図７】本手提げ袋の収納器具１３の斜面図・透視図である。
【図８】軸受け部品１１もしくは１１ａを収納器具１３に挿入し転動させ、本手提げ袋を治具５に巻き取る実施例を示す斜面図である。
【図９】本手提げ袋を収納器具１３に収納した実施例を示す斜面図である。
【図１】
0003231330.tif 000003
【図２】
0003231330.tif 000004
【図３】
0003231330.tif 000005
【図４】
0003231330.tif 000006
【図５】
0003231330.tif 000007
【図６】
0003231330.tif 000008
【図７】
0003231330.tif 000009
【図８】
0003231330.tif 000010
【図９】
0003231330.tif 000011
【手続補正書】
【提出日】令和2年12月21日(2020.12.21)
【手続補正１】
【補正対象書類名】実用新案登録請求の範囲
【補正対象項目名】全文
【補正方法】変更
【補正の内容】
【実用新案登録請求の範囲】
【請求項１】
袋に物品を入れず平面に寝かせ置き底辺部を手前に開口部および取手部を奥に置いた状態で、袋を左右に三分割した中部分２の底辺の取付部分４に巻き取る軸となる治具５を取り付け、残る右部分３と左部分１を中部分２に重ねて折り畳み治具５に巻きとり、中空で筒状の収納器具１３に挿入収納することを特徴とした手提げ袋。
【請求項２】
請求項１で治具５に巻き取る袋は左右方向に三つ折りする形状とし、袋の左部分１の幅１ａは中部分２の幅２ａより５ｍｍから２０ｍｍの範囲で短く形成され、また右部分３の幅３ａは中部分２の幅２ａより２ｍｍから１０ｍｍの範囲で短く形成され、さらに中部分２の底辺には治具５を通すための筒状の取付部分４が形成されており、治具５を構成する持ち手部分６から二本に分割され発出された軸７の、任意の一本を通貫させ軸受け部品１１もしくは１１ａを取り付けて固定する構成となっている手提げ袋。
【請求項３】
袋を巻き取る治具５は、
（１）持ち手部分６から軸７が同方向に二本発出し、その間隙に全長にわたり２ｍｍ以下幅の間隙７ｂが形成されている。
（２）軸７の二本を合わせた状態の先端８の外周面に螺旋構造が形成され軸受け部品１１の内側に螺子絞め固定する構造を有する。
（３）軸受け部品１１の外周面の１箇所以上に幅２ｍｍ以下で溝１２が形成されている。
以上の（１）〜（３）の構成からなる治具。
【請求項４】
袋を巻き取る治具５は、
（１）持ち手部分６から軸７が同方向に二本発出し、その間隙に全長にわたり２ｍｍ以下幅の間隙７ｂが形成されている。
（２）軸７の二本を合わせた状態の先端９の外周面に２ｍｍ角以下の直方体または立方体の凸構造９ａが形成され、軸受け部品１１ａの内側の溝１０に挿入、転動させ固定する構造を有する。
（３）軸受け部品１１の外周面の１箇所以上に幅２ｍｍ以下で溝１２が形成されている。
以上の（１）〜（３）の構成からなる治具。
【請求項５】
請求項１、請求項２に著した手提げ袋の収納用途として、中空の筒状に形成された収納器具１３を設けるが、それは筒状一方の内側に高さ２ｍｍ以下、幅２ｍｍ以下、長さ２ｍｍ以上２０ｃｍ以下で筒と同方向に延び左右対称２対の凸部分１４を有し、これに軸受け部品１１もしくは１１ａの外周面に形成された溝１２を挿入合致させたまま転動させることで手提げ袋を治具５に巻き取り、そのまま挿入し全体を収納する収納器具。